(57)【要約】【課題】手間を掛けずにコンフォーマンス・ステートメントを自動的に作成すること。【解決手段】サーバ１とクライアント２との間の通信に関わる通信データをオンライン通信で取り込み、この取り込んだ通信データを解析してサーバ１とクライアント２との間のＤＩＣＯＭの規格に対する適合範囲を取得してサーバ１とクライアント２との間のＤＩＣＯＭの規格に対する適合範囲をコンフォーマンス・ステートメントとしてのドキュメントとして記録出力し、又、メディア５に保存されているデータをオフライン通信で取り込み、この取り込んだデータを解析してメディア５のＤＩＣＯＭの規格に対する適合範囲を取得してメディア５のＤＩＣＯＭの規格に対する適合範囲をコンフォーマンス・ステートメントとしてのドキュメントとして記録出力する。【選択図】図１
2010015326.tif 000002
【特許請求の範囲】
【請求項１】
医療情報の交換に関する規格に対する適合範囲を宣言するためのドキュメントを作成するドキュメント作成支援装置であって、
前記医療情報を扱う対象システムの通信に関わるデータを取り込むデータ取込部と、
前記データ取込部により取り込まれた前記データを解析して前記対象システムの前記適合範囲を取得するデータ解析部と、
前記データ解析部により取得された前記対象システムの前記適合範囲をドキュメントとして記録媒体に記録出力する記録出力部と、
を具備することを特徴とするドキュメント作成支援装置。
【請求項２】
前記対象システムは、前記医療情報を含むデータ通信を実施し、
前記データ解析部は、前記データ通信を開始するときのアソシエーション確立フェーズで送受信されるデータセットを解析して前記対象システムの前記適合範囲を取得する、
ことを特徴とする請求項１記載のドキュメント作成支援装置。
【請求項３】
前記データ解析部は、前記アソシエーション確立フェーズで送受信される確立要求や受諾応答のデータセットを解析して前記対象システムの前記適合範囲を取得する、
ことを特徴とする請求項２記載のドキュメント作成支援装置。
【請求項４】
前記対象システムは、前記医療情報を含むデータを保存するメディアであり、
前記データ解析部は、前記メディアに保存されている前記データを解析して前記対象システムの前記適合範囲を取得する、
ことを特徴とする請求項１記載のドキュメント作成支援装置。
【請求項５】
前記対象システムは、被検体の画像データを取得する医用画像機器であり、
前記データ解析部は、前記医用画像機器の通信に関わるデータを解析して医用におけるディジタル画像と通信に関する標準規格に対する適合範囲を宣言するためのドキュメントを取得する、
ことを特徴とする請求項１記載のドキュメント作成支援装置。
【請求項６】
前記医療情報を扱う前記対象システムの通信に関わるデータを取り込み、当該取り込まれた前記データを解析して前記対象システムの前記適合範囲を取得するまでの作業データを保存するデータ記憶部を有することを特徴とする請求項１記載のドキュメント作成支援装置。
【請求項７】
医療情報を扱う対象システムの通信に関わるデータを取り込み、
当該取り込まれた前記データを解析して前記対象システムの医療情報の交換に関する規格に対する適合範囲を取得し、
当該取得された前記対象システムの前記医療情報の交換に関する前記規格に対する前記適合範囲をドキュメントとして記録媒体に記録出力する、
ことを特徴とするドキュメント作成支援方法。
【請求項８】
前記データの取り込みは、前記対象システムにおけるサーバとクライアントとの間の通信路に伝送される通信データをモニタすることにより行い、
前記対象システムの医療情報の交換に関する規格に対する前記適合範囲の取得は、前記モニタによりモニタされたデータ通信を開始するときのアソシエーション確立フェーズで送受信されるデータセットを解析することにより行う、
ことを特徴とする請求項７記載のドキュメント作成支援方法。
【請求項９】
前記データの取り込みは、前記対象システムにおけるメディアに保存されている前記医療情報を含むデータを読み出すことにより行い、
前記対象システムの医療情報の交換に関する規格に対する前記適合範囲の取得は、前記メディアから読み出した前記データを解析することにより行う、
ことを特徴とする請求項７記載のドキュメント作成支援方法。
【請求項１０】
被検体の画像データを取得する医用画像機器の通信に関わるデータを解析して医用におけるディジタル画像と通信に関する標準規格に対する適合範囲を宣言するためのドキュメントを作成することを特徴とする請求項７記載のドキュメント作成支援方法。
【請求項１１】
医療情報を扱う対象システムの通信に関わるデータを取り込ませ、
当該取り込ませた前記データを解析させて前記対象システムの前記医療情報の交換に関する規格に対する適合範囲を取得させ、
当該取得させた前記対象システムの前記医療情報の交換に関する前記規格に対する前記適合範囲をドキュメントとして記録媒体に記録出力させる、
ことを特徴とするドキュメント作成支援プログラム。
【請求項１２】
前記対象システムにおけるサーバとクライアントとの間の通信路に伝送される通信データをモニタして前記データを取り込みさせ、
前記モニタされたデータ通信を開始するときのアソシエーション確立フェーズで送受信されるデータセットを解析させて前記対象システムの前記医療情報の交換に関する規格に対する前記適合範囲を取得させる、
ことを特徴とする請求項１１記載のドキュメント作成支援プログラム。
【請求項１３】
前記対象システムにおけるメディアに保存されている前記医療情報を含むデータを読み出させて前記データを取り込みさせ、
前記メディアから読み出させた前記データを解析させて前記対象システムの前記医療情報の交換に関する規格に対する前記適合範囲の取得させる、
ことを特徴とする請求項１１記載のドキュメント作成支援プログラム。
【発明の詳細な説明】
【技術分野】
【０００１】
本発明は、例えば医用におけるディジタル画像と通信に関する標準規格（以下、ＤＩＣＯＭと称する）に対する適合範囲を宣言するためのドキュメントを作成するドキュメント作成支援装置及びその方法並びにドキュメント作成支援プログラムに関する。
【背景技術】
【０００２】
ＤＩＣＯＭは、国際的に認められている医療情報交換に関する規格である。例えば人体等の被検体のディジタル画像データを取得するＣＴやＭＲＩ等の医用画像機器である対象システムは、ＤＩＣＯＭに規格に従ってディジタル画像データ等のデータ通信を行っている。  
コンフォーマンス・ステートメント（conformance statement：適合性宣言）は、対象システムがＤＩＣＯＭに規定された機能のうちどの部分に適合しているかを宣言するドキュメントである。ＤＩＣＯＭでは、規格に対する部分的な適合を認めており、その適合範囲をコンフォーマンス・ステートメントとして明確に記述することが求められている。
【０００３】
このようなコンフォーマンス・ステートメントは、例えば、新機製作されたＣＴやＭＲＩ等の医用画像機器が提供するサービス、例えば画像データの送受信（Ｓtorage）の機能等の一覧を知らせたり、医用画像機器の機能のバージョンアップを行うことに必要になる。  
このコンフォーマンス・ステートメントは、開発者が新機製作されたＣＴやＭＲＩ等の医用画像機器に関する資料やバージョンアップに関する資料を参照して自力で作成している。このため、コンフォーマンス・ステートメントの作成に手間が掛かっている。  
ＤＩＣＯＭコンフォーマンス・ステートメントについては、例えば特許文献１に記載されている。この特許文献１は、コンフォーマンス・ステートメントに明示することにより、他の機器やソフトウエアでも本発明を利用できる旨を開示しています。
【特許文献１】特開２００２−３７４４９３号公報
【発明の開示】
【発明が解決しようとする課題】
【０００４】
本発明の目的は、手間を掛けずにコンフォーマンス・ステートメントを自動的に作成できるドキュメント作成支援装置及びその方法並びにドキュメント作成支援プログラムを提供することにある。
【課題を解決するための手段】
【０００５】
本発明の請求項１に記載のドキュメント作成支援装置は、医療情報の交換に関する規格に対する適合範囲を宣言するためのドキュメントを作成するドキュメント作成支援装置であって、医療情報を扱う対象システムの通信に関わるデータを取り込むデータ取込部と、データ取込部により取り込まれたデータを解析して対象システムの適合範囲を取得するデータ解析部と、データ解析部により取得された対象システムの適合範囲をドキュメントとして記録媒体に記録出力する記録出力部とを具備する。
【０００６】
本発明の請求項７に記載のドキュメント作成支援方法は、医療情報を扱う対象システムの通信に関わるデータを取り込み、当該取り込まれたデータを解析して対象システムの医療情報の交換に関する規格に対する適合範囲を取得し、当該取得された対象システムの医療情報の交換に関する規格に対する適合範囲をドキュメントとして記録媒体に記録出力する。
【０００７】
本発明の請求項１１に記載のドキュメント作成支援プログラムは、医療情報を扱う対象システムの通信に関わるデータを取り込ませ、当該取り込ませたデータを解析させて対象システムの医療情報の交換に関する規格に対する適合範囲を取得させ、当該取得させた対象システムの医療情報の交換に関する規格に対する適合範囲をドキュメントとして記録媒体に記録出力させる。
【発明の効果】
【０００８】
本発明によれば、手間を掛けずにコンフォーマンス・ステートメントを自動的に作成できるドキュメント作成支援装置及びその方法並びにドキュメント作成支援プログラムを提供できる。
【発明を実施するための最良の形態】
【０００９】
以下、本発明の一実施の形態について図面を参照して説明する。  
図１はドキュメント作成支援装置の構成図を示す。サーバ１とクライアント２とがネットワーク３を介して接続されている。クライアント２は、例えば人体等の被検体のディジタル画像データを取得するＣＴやＭＲＩ、Ｘ線診断装置等の医用画像機器である。これらサーバ１とクライアント２とは、例えばＤＩＣＯＭの規格に従ってディジタル画像データ等のデータ通信を双方向で行う対象システムである。なお、ネットワーク３としては、例えば病院情報システム（ＨＩＳ：Ｈospital Ｉnformation Ｓystem）や放射線部門情報管理システム（ＲＩＳ：Ｒadiology Ｉnformation Ｓystem）に適用可能である。
【００１０】
又、メディアドライブ４が設けられている。このメディアドライブ４は、ＤＩＣＯＭに規格に従ってディジタル画像データ等のデータを保存したメディア５例えばＣＤ−Ｒ、ＤＶＤ（デジタル・ビデオ・ディスク）、又はＭＯ（光磁気ディスク）等のディスクが挿入され、当該メディア５に対してデータの書き込み、読み取りを行う。メディア５には、例えばＤＩＣＯＭの規格に従った形式のディジタル画像データ等のデータファイルが保存されている。従って、メディアドライブ４は、メディア５に保存されているＤＩＣＯＭの規格に従った形式のデータファイルを読み取る。
【００１１】
コンフォーマンス・ステートメント（conformance statement：適合性宣言）作成支援システム１０は、予めコンフォーマンス・ステートメント作成支援プログラムを記憶する。このコンフォーマンス・ステートメント作成支援プログラムは、医療情報を扱う対象システム、例えばサーバ１とクライアント２、又はメディア５との通信に関わるデータを取り込ませ、この取り込ませたデータを解析させて対象システムの医療情報の交換に関する規格に対する適合範囲を取得させ、この取得させた対象システムの医療情報の交換に関する規格に対する適合範囲をドキュメントとして記録媒体に記録出力させる。
【００１２】
このコンフォーマンス・ステートメント作成支援システム１０は、コンフォーマンス・ステートメント作成支援プログラムを実行することによりサーバ１とクライアント２との間の通信に関わる通信データをオンライン通信で取り込み、この取り込んだ通信データを解析してサーバ１とクライアント２との間のＤＩＣＯＭの規格に対する適合範囲を取得し、この取得されたサーバ１とクライアント２との間のＤＩＣＯＭの規格に対する適合範囲をコンフォーマンス・ステートメントとしてのドキュメントとして記録出力する。  
又、コンフォーマンス・ステートメント作成支援システム１０は、コンフォーマンス・ステートメント作成支援プログラムを実行することによりメディア５に保存されているデータをオフライン通信で取り込み、この取り込んだデータを解析してメディア５のＤＩＣＯＭの規格に対する適合範囲を取得し、この取得されたメディア５のＤＩＣＯＭの規格に対する適合範囲をコンフォーマンス・ステートメントとしてのドキュメントとして記録出力する。
【００１３】
具体的にコンフォーマンス・ステートメント作成支援システム１０は、ネットワークモニタ１１と、メディア管理部１２と、データ管理部１３と、データ解析部１４と、表示部１５と、プリントアウト部１６とを有する。このうちネットワークモニタ１１は、ネットワーク３に接続され、サーバ１とクライアント２との間にデータ通信される通信データ、例えばサーバ１とクライアント２との間でデータ通信を開始するときのアソシエーション確立フェーズで送受信されるデータセットをキャプチャする。  
メディア管理部１２は、メディアドライブ４によりメディア５から読み取られたＤＩＣＯＭの規格に従った形式のデータファイルを受け取る。
【００１４】
データ管理部１３は、ネットワークモニタ１１によりキャプチャされた例えばサーバ１とクライアント２との間でデータ通信を開始するときのアソシエーション確立フェーズで送受信されるデータセットを受け取り、このデータセットをデータベース１７に保存する。  
又、データ管理部１３は、メディア管理部１２からのメディア５に保存されているＤＩＣＯＭの規格に従った形式のデータファイルを受け取り、このデータファイルをデータ記憶部としての例えばデータベース１７に保存する。なお、データベース１７は、コンフォーマンス・ステートメント作成支援システム１０内に設けられていてもよいし、コンフォーマンス・ステートメント作成支援システム１０外に設けられていてもよい。
【００１５】
このデータ管理部１３は、データベース１７に対するデータの保存、読み出しを可能とするもので、例えばサーバ１とクライアント２との間でデータ通信を開始するときのアソシエーション確立フェーズで送受信されるデータセットと、メディア管理部１２からのメディア５に保存されているＤＩＣＯＭの規格に従った形式のデータファイルとを通信データメディアデータファイルＤａとしてデータベース１７に保存する。又、データ管理部１３は、後述するようにデータ解析部１４の解析により取得されるサーバ１とクライアント２との間のコンフォーマンス・ステートメント又はメディア５のコンフォーマンス・ステートメントをコンフォーマンス・ステートメントのファイルＤｂとしてデータベース１７に保存する。データ管理部１３は、サーバ１とクライアント２との間のコンフォーマンス・ステートメント又はメディア５のコンフォーマンス・ステートメントを取得するまでの作業内容を作業データファイルＤｃとしてデータベース１７に保存する。
【００１６】
データ解析部１４は、データベース１７に保存されている例えばサーバ１とクライアント２との間でデータ通信を開始するときのアソシエーション確立フェーズで送受信されるデータセットを読み取り、このデータセット、すなわちサーバ１とクライアント２との間でデータ通信を開始するときのアソシエーション確立フェーズで送受信される確立要求や受諾応答のデータセットを解析してサーバ１とクライアント２との間のコンフォーマンス・ステートメントを取得する。  
又、データ解析部１４は、データベース１７に保存されている例えばメディア５に保存されているＤＩＣＯＭの規格に従った形式のデータファイルを読み取り、データファイルを解析してメディア５のコンフォーマンス・ステートメントを取得する。
【００１７】
表示部１５は、データ解析部１４の解析により取得されたサーバ１とクライアント２との間のコンフォーマンス・ステートメント、又はメディア５のコンフォーマンス・ステートメントを例えば液晶ディスプレイ等の表示装置の表示画面上に表示出力する。  
又、表示部１５は、例えば液晶ディスプレイ等の表示装置の表示画面上にグラフィカル・ユーザ・インタフェース（ＧＵＩ）１５ａの機能を有する。このグラフィカル・ユーザ・インタフェース１５ａは、ユーザ１９の操作を受けて例えばデータ解析実行等の命令や、サーバ１とクライアント２との間のコンフォーマンス・ステートメント又はメディア５のコンフォーマンス・ステートメントなどに対する編集の作業内容、例えば予め作成された図形や定型文を挿入するなどの命令、サーバ１とクライアント２との間のコンフォーマンス・ステートメント又はメディア５のコンフォーマンス・ステートメントなどをプリントアウトする命令を発する。
【００１８】
プリントアウト部１６は、データ解析部１４の解析により取得されたサーバ１とクライアント２との間のコンフォーマンス・ステートメント、又はメディア５のコンフォーマンス・ステートメントを例えば用紙等の記録媒体に印字してコンフォーマンス・ステートメントの雛形をプリントアウトする。この場合、コンフォーマンス・ステートメントは、予め様式が決められているので、プリントアウト部１６は、当該様式に従ってコンフォーマンス・ステートメントの雛形をプリントアウトする。
【００１９】
次に、上記の如く構成された装置によるサーバ１とクライアント２との間の通信に関わるコンフォーマンス・ステートメントの作成動作について図２に示すデータの流れ図を参照して説明する。  
ユーザ１９がグラフィカル・ユーザ・インタフェース１５ａに対してサーバ１とクライアント２との間の通信データの取得開始を行うための操作を行うと、このグラフィカル・ユーザ・インタフェース１５ａは、ユーザ１９の操作を受けて例えば通信データの取得開始の命令を発する。この命令の発生によりコンフォーマンス・ステートメント作成支援システム１０は、サーバ１とクライアント２との間の通信データの取得開始の動作を開始する。
【００２０】
しかるに、サーバ１とクライアント２との間でデータ通信が開始されると、このときサーバ１とクライアント２との間で確立要求や受諾応答が行われる。ネットワークモニタ１１は、サーバ１とクライアント２との間でデータ通信を開始するときのアソシエーション確立フェーズで送受信される確立要求や受諾応答のデータセットをキャプチャする。
【００２１】
次に、データ管理部１３は、ネットワークモニタ１１によりキャプチャされた例えばサーバ１とクライアント２との間でデータ通信を開始するときのアソシエーション確立フェーズで送受信される確立要求や受諾応答のデータセットを受け取り、このデータセットを通信データメディアデータファイルＤａとしてデータベース１７に保存する。このとき、ネットワークモニタ１１によりキャプチャされてデータベース１７に保存される通信データメディアデータファイルＤａは、そのデータ数が大量になるので、データ管理部１３は、例えばサーバ１とクライアント２とから成るシステム名や日付時刻、キャプチャ時に実施したサービスの名称等の各項目別にリストアップして、これら各項目別にデータベース１７に保存する。これにより、データ管理部１３は、データベース１７に保存される通信データメディアデータファイルＤａを検索するとき、例えばサーバ１とクライアント２とから成るシステム名や日付時刻、キャプチャ時に実施したサービスの名称等の各項目別に検索し易くなる。
【００２２】
次に、ユーザ１９がグラフィカル・ユーザ・インタフェース１５ａに対してデータベース１７に保存されるデータのうち例えば通信データメディアデータファイルＤａを選択し、かつサーバ１とクライアント２との間の通信データのデータ解析を実行させるための操作を行うと、このグラフィカル・ユーザ・インタフェース１５ａは、ユーザ１９の操作を受けてデータ解析の開始の命令を発する。この命令の発生によりコンフォーマンス・ステートメント作成支援システム１０は、サーバ１とクライアント２との間の通信データのデータ解析の実行を開始する。
【００２３】
しかるに、データ解析部１４は、グラフィカル・ユーザ・インタフェース１５ａを通して選択された通信データメディアデータファイルＤａをデータベース１７から読み取り、この通信データメディアデータファイルＤａ、すなわちサーバ１とクライアント２との間でデータ通信を開始するときのアソシエーション確立フェーズで送受信される確立要求や受諾応答のデータセットを解析してサーバ１とクライアント２との間のコンフォーマンス・ステートメントを取得する。
【００２４】
表示部１５は、データ解析部１４の解析により取得されたサーバ１とクライアント２との間のコンフォーマンス・ステートメントを例えば液晶ディスプレイ等の表示装置の表示画面上に表示出力する。図３は液晶ディスプレイ等の表示装置の表示画面上に表示出力されるサーバ１とクライアント２との間のコンフォーマンス・ステートメントすなわちサーバ１とクライアント２との間でデータ通信を開始するときのアソシエーション確立フェーズで送受信される確立要求や受諾応答のデータセットに含まれるデータの一例を示す。
【００２５】
この表示例は、サーバ１とクライアント２とより提供されるサービスの一覧を表示するもので、クライアント１として例えば新規のＭＲＩシステムに要求されるＤＩＣＯＭのサービスクラスであり、例えばＭＲ画像データの送受信（ＭＲ Ｉmage Ｓtorage）に対する機能を表す番号ＳＯＰＣlass ＵＩＤ、例えば「１．２．８４０．１０００８．５．１．４．１．１．４」が表示されている。このＭＲ画像データの送受信の番号ＳＯＰＣlass ＵＩＤは、ＤＩＣＯＭの規格上決められた機能を表す。他の第２のキャプチャ画像データ（Ｓecondary Ｃapture Ｉmage Ｓtorage）についても機能を表す番号ＳＯＰＣlass ＵＩＤが表示されている。なお、第２のキャプチャ画像データは、例えばＭＲＩシステムにより３次元のＭＲ画像データが取得されたとすると、この３次元のＭＲ画像データから作成される例えばアキシャル像データ、サジタル像データ、又はコロナル像データである。
【００２６】
又、グラフィカル・ユーザ・インタフェース１５ａは、ユーザ１９の操作を受けて図３に示すようなサーバ１とクライアント２との間のコンフォーマンス・ステートメントに対する編集の作業、例えば予め作成された図形や定型文を挿入するなどを実行することが可能である。
【００２７】
次に、ユーザ１９がグラフィカル・ユーザ・インタフェース１５ａに対して図３に示すようなサーバ１とクライアント２との間のコンフォーマンス・ステートメントのプリントアウトを実行させるための操作を行うと、このグラフィカル・ユーザ・インタフェース１５ａは、ユーザ１９の操作を受けてコンフォーマンス・ステートメントのプリントアウトの命令を発する。この命令の発生によりコンフォーマンス・ステートメント作成支援システム１０は、サーバ１とクライアント２との間のコンフォーマンス・ステートメントのプリントアウトの実行を開始する。これにより、プリントアウト部１６は、サーバ１とクライアント２との間のコンフォーマンス・ステートメントを例えば用紙等の記録媒体に印字してコンフォーマンス・ステートメントの雛形をプリントアウトする。図４はサーバ１とクライアント２との間のコンフォーマンス・ステートメントのプリントアウトの一例を示す。このプリントアウトされたコンフォーマンス・ステートメントは、液晶ディスプレイ等の表示装置の表示画面上に表示出力された上記サーバ１とクライアント２との間のコンフォーマンス・ステートメントと同一内容であり、予め決められているコンフォーマンス・ステートメントの様式に従っている。
【００２８】
次に、上記の如く構成された装置によるメディア５に関わるコンフォーマンス・ステートメントの作成動作について図５に示すデータの流れ図を参照して説明する。  
ユーザ１９がグラフィカル・ユーザ・インタフェース１５ａに対してメディア５に保存されているデータファイルの読み取りを行うための操作を行うと、このグラフィカル・ユーザ・インタフェース１５ａは、ユーザ１９の操作を受けてメディア５に保存されているデータファイルの読み取りの取得開始の命令を発する。この命令の発生によりコンフォーマンス・ステートメント作成支援システム１０は、メディア５に保存されているデータファイルの読み取りを開始する。
【００２９】
しかるに、メディアドライブ４は、ＤＩＣＯＭに規格に従ってディジタル画像データ等のデータを保存したメディア５、例えばＣＤ−Ｒ、ＤＶＤ（デジタル・ビデオ・ディスク）、又はＭＯ（光磁気ディスク）等のディスクが挿入され、当該メディア５に保存されているＤＩＣＯＭの規格に従った形式のデータファイルを読み取る。  
次に、メディア管理部１２は、メディアドライブ４によりメディア５から読み取られたＤＩＣＯＭの規格に従った形式のデータファイルを受け取る。
【００３０】
次に、データ管理部１３は、メディア管理部１２からのメディア５に保存されているＤＩＣＯＭの規格に従った形式のデータファイルを受け取り、このデータファイルを通信データメディアデータファイルＤａとしてデータベース１７に保存する。  
次に、ユーザ１９がグラフィカル・ユーザ・インタフェース１５ａに対してデータベース１７に保存されるデータのうち例えば通信データメディアデータファイルＤａを選択し、かつメディア５に保存されているデータファイルのデータ解析を実行させるための操作を行うと、このグラフィカル・ユーザ・インタフェース１５ａは、ユーザ１９の操作を受けてデータ解析の開始の命令を発する。この命令の発生によりコンフォーマンス・ステートメント作成支援システム１０は、メディア５に保存されているデータファイルのデータ解析の実行を開始する。
【００３１】
しかるに、データ解析部１４は、メディア５に保存されているデータファイルの通信データメディアデータファイルＤａをデータベース１７から読み取り、この通信データメディアデータファイルＤａ、すなわちメディア５に保存されているデータファイルを解析してメディア５に保存されているデータファイルのコンフォーマンス・ステートメントを取得する。
【００３２】
表示部１５は、データ解析部１４の解析により取得されたメディア５に保存されているデータファイルのコンフォーマンス・ステートメントを例えば液晶ディスプレイ等の表示装置の表示画面上に表示出力する。図６は液晶ディスプレイ等の表示装置の表示画面上に表示出力されるメディア５に保存されているデータファイルのコンフォーマンス・ステートメントの一例を示す。  
この表示例は、例えばＣＤ−Ｒ、ＤＶＤ（デジタル・ビデオ・ディスク）、又はＭＯ（光磁気ディスク）等のメディア５に提供されるサービスの一覧を表示するもので、メディア５に対するサービスクラスとして例えば「Ｍedia Ｓtorage Ｄirectory Ｓtorage」「ＭＲ画像データの送受信（ＭＲ Ｉmage Ｓtorage）」に対する機能を表す番号ＳＯＰＣlass ＵＩＤ、例えば「１．２．８４０．１０００８．１．３．１０」が表示されている。
【００３３】
又、グラフィカル・ユーザ・インタフェース１５ａは、ユーザ１９の操作を受けて図６に示すようなメディア５のコンフォーマンス・ステートメントに対する編集の作業、例えば予め作成された図形や定型文を挿入するなどを実行することが可能である。
【００３４】
次に、ユーザ１９がグラフィカル・ユーザ・インタフェース１５ａに対して図３に示すようなメディア５のコンフォーマンス・ステートメントのプリントアウトを実行させるための操作を行うと、このグラフィカル・ユーザ・インタフェース１５ａは、ユーザ１９の操作を受けてコンフォーマンス・ステートメントのプリントアウトの命令を発する。この命令の発生によりコンフォーマンス・ステートメント作成支援システム１０は、メディア５のコンフォーマンス・ステートメントのプリントアウトの実行を開始する。これにより、プリントアウト部１６は、メディア５のコンフォーマンス・ステートメントを例えば用紙等の記録媒体に印字してコンフォーマンス・ステートメントの雛形をプリントアウトする。図７はメディア５のコンフォーマンス・ステートメントのプリントアウトの一例を示す。このプリントアウトされたコンフォーマンス・ステートメントは、液晶ディスプレイ等の表示装置の表示画面上に表示出力された上記メディア５のコンフォーマンス・ステートメントと同一内容であり、予め決められているコンフォーマンス・ステートメントの様式に従っている。
【００３５】
一方、データ管理部１３は、図８に示すようにサーバ１とクライアント２との間のコンフォーマンス・ステートメント又はメディア５のコンフォーマンス・ステートメントを取得するまでの作業内容を作業データファイルＤｃとしてデータベース１７に保存する。  
しかるに、ユーザ１９がグラフィカル・ユーザ・インタフェース１５ａに対してデータベース１７に保存されている作業データファイルＤｃの読み出しを実行させるための操作を行うと、このグラフィカル・ユーザ・インタフェース１５ａは、ユーザ１９の操作を受けて作業データファイルＤｃの読み出しの命令を発する。この指令を受けてデータ管理部１３は、データベース１７に保存されている作業データファイルＤｃを読み出し、この作業データファイルＤｃを液晶ディスプレイ等の表示装置の表示画面上に表示出力することが可能になる。ユーザ１９は、液晶ディスプレイ等の表示装置の表示画面上に表示された作業データファイルＤｃを参照することによりサーバ１とクライアント２との間のコンフォーマンス・ステートメントの作成又はメディア５のコンフォーマンス・ステートメントの作成に再利用できる。
【００３６】
このように上記一実施の形態によれば、サーバ１とクライアント２との間の通信に関わる通信データをオンライン通信で取り込み、この取り込んだ通信データを解析してサーバ１とクライアント２との間のＤＩＣＯＭの規格に対する適合範囲を取得し、この取得されたサーバ１とクライアント２との間のＤＩＣＯＭの規格に対する適合範囲をコンフォーマンス・ステートメントとしてのドキュメントとして記録出力する。これにより、例えば人体等の被検体のディジタル画像データを取得するＣＴやＭＲＩ等の医用画像機器である対象システムがＤＩＣＯＭに規定された機能のうちどの部分に適合しているかを宣言するドキュメントを自動的に作成することができ、ドキュメントの作成に手間を掛けることがない。  
又、例えばＣＤ−Ｒ、ＤＶＤ（デジタル・ビデオ・ディスク）、又はＭＯ（光磁気ディスク）等のメディア５に保存されているデータをオフライン通信で取り込み、この取り込んだデータを解析してメディア５のＤＩＣＯＭの規格に対する適合範囲を取得し、この取得されたメディア５のＤＩＣＯＭの規格に対する適合範囲をコンフォーマンス・ステートメントとしてのドキュメントとして記録出力する。これにより、例えば人体等の被検体のディジタル画像データを保存するメディア５がＤＩＣＯＭに規定された機能のうちどの部分に適合しているかを宣言するドキュメントを自動的に作成することができ、ドキュメントの作成に手間を掛けることがない。  
プリントアウトされるコンフォーマンス・ステートメントは、コンフォーマンス・ステートメントとして予め決められているコンフォーマンス・ステートメントの様式に従い、かつ例えば人体等の被検体のディジタル画像データを取得するＣＴやＭＲＩ等の医用画像機器等のクライアント２とサーバ１との間のデータ通信や、ＤＩＣＯＭに規格に従ってディジタル画像データ等のデータを保存する例えばＣＤ−Ｒ、ＤＶＤ（デジタル・ビデオ・ディスク）、又はＭＯ（光磁気ディスク）等のメディア５に対してＤＩＣＯＭに規定された機能のうちどの部分に適合しているかを明確に記述することが出来る。
【００３７】
図３に示すようなサーバ１とクライアント２との間のコンフォーマンス・ステートメント、又は図６に示すようなメディア５のコンフォーマンス・ステートメントは、それぞれユーザ１９の操作を受けたグラフィカル・ユーザ・インタフェース１５ａによって例えば予め作成された図形や定型文を挿入するなどの編集作業を行うことができる。
【００３８】
データ管理部１３は、図８に示すようにサーバ１とクライアント２との間のコンフォーマンス・ステートメント、又はメディア５のコンフォーマンス・ステートメントを取得するまでの作業内容を作業データファイルＤｃとしてデータベース１７に保存するので、当該作業データファイルＤｃを読み出すことによりサーバ１とクライアント２との間のコンフォーマンス・ステートメントの作成又はメディア５のコンフォーマンス・ステートメントの作成に再利用できる。これにより、ドキュメントの作成に手間を掛けることがない。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、クライアント２は、例えば人体等の被検体のディジタル画像データを取得するＣＴやＭＲＩ等に限らず、超音波診断装置等の医用画像を取得する各種の医用画像機器に適用可能である。
【図面の簡単な説明】
【００４０】
【図１】本発明に係るドキュメント作成支援装置の一実施の形態を示す構成図。
【図２】同装置によるサーバとクライアントとの間の通信に関わるコンフォーマンス・ステートメントの作成動作におけるデータの流れを示す図。
【図３】同装置の表示装置に表示されるサーバとクライアントとの間でデータ通信を開始するときのアソシエーション確立フェーズで送受信される確立要求や受諾応答のデータセットに含まれるデータの一例を示す図。
【図４】同装置のプリントアウト部によりプリントアウトされたサーバとクライアントとの間のコンフォーマンス・ステートメントの一例を示す図。
【図５】同装置によるメディアに関わるコンフォーマンス・ステートメントの作成動作におけるデータの流れを示す図。
【図６】同装置の表示装置に表示されるメディアに関わるコンフォーマンス・ステートメントの一例を示す図。
【図７】同装置のプリントアウト部によりプリントアウトされたメディアに関わるコンフォーマンス・ステートメントの一例を示す図。
【図８】同装置による作業データファイルを読み出し及びその表示出力の動作におけるデータの流れを示す図。
【符号の説明】
【００４１】
１：サーバ、２：クライアント、３：ネットワーク、４：メディアドライブ、５：メディア、１０：コンフォーマンス・ステートメント（conformance statement：適合性宣言）作成支援システム、１１：ネットワークモニタ、１２：メディア管理部、１３：データ管理部、１４：データ解析部、１５：表示部、１５ａ：グラフィカル・ユーザ・インタフェース（ＧＵＩ）、１６：プリントアウト部、１７：データベース、Ｄａ：通信データメディアデータファイル、Ｄｂ：コンフォーマンス・ステートメントのファイル、Ｄｃ：作業データファイル。
【図１】
2010015326.tif 000003
【図２】
2010015326.tif 000004
【図３】
2010015326.tif 000005
【図４】
2010015326.tif 000006
【図５】
2010015326.tif 000007
【図６】
2010015326.tif 000008
【図７】
2010015326.tif 000009
【図８】
2010015326.tif 000010